(57)【要約】【課題】  風力を受けて回転するプロペラに連結されたプロペラシャフトを利用して光源を点灯させたり、振動を発生させ、地中のモグラ等の動物を追い払うこと。【解決手段】  本体１に回転自在に支持されて中間にクランク部２Ａ、２Ｂを有するプロペラシャフト２と、本体前部にて前記プロペラシャフト２に連結されて風力を受けて回転するプロペラ７と、本体後部に取り付けられた風向板９と、地中にその下部が埋設されて前記本体１を回動自在に支持する支持体１１と、風力を受けてプロペラ７が回転することにより前記プロペラシャフト２が回転することにより前記クランク２Ａ部によって開閉するマイクロスイッチ５と、このスイッチ５の開閉により消灯又は点灯する光源１７と、同じくプロペラシャフト２が回転することにより前記クランク部２Ｂにより昇降するもので下降により前記支持体１１の板体１５の下板１５Ｂに当接する作動杆体１６とを設ける。【選択図】  図１
2007006842.tif 000002
【特許請求の範囲】
【請求項１】
本体に回転自在に支持されて中間に作動部を有するプロペラシャフトと、本体前部にて前記プロペラシャフトに連結されて風力を受けて回転するプロペラと、本体後部に取り付けられた風向板と、地中にその下部が埋設されて前記本体を回動自在に支持する支持体と、風力を受けてプロペラが回転することにより前記プロペラシャフトが回転することによりその作動部によって開閉するスイッチと、このスイッチの開閉により消灯又は点灯する光源とを設けたことを特徴とする動物追い払い装置。
【請求項２】
本体に回転自在に支持されて中間に作動部を有するプロペラシャフトと、本体前部にて前記プロペラシャフトに連結されて風力を受けて回転するプロペラと、本体後部に取り付けられた風向板と、地中にその下部が埋設されて前記本体を回動自在に支持する支持体と、風力を受けてプロペラが回転することにより前記プロペラシャフトが回転することによりその作動部により上昇又は下降するもので下降により前記支持体の当接部に当接する作動体とを設けたことを特徴とする動物追い払い装置。
【請求項３】
本体に回転自在に支持されて中間に第１作動部及び第２作動部を有するプロペラシャフトと、本体前部にて前記プロペラシャフトに連結されて風力を受けて回転するプロペラと、本体後部に取り付けられた風向板と、地中にその下部が埋設されて前記本体を回動自在に支持する支持体と、風力を受けてプロペラが回転することにより前記プロペラシャフトが回転することにより前記第１作動部によって開閉するスイッチと、このスイッチの開閉により消灯又は点灯する光源と、同じくプロペラシャフトが回転することにより前記第２作動部により昇降するもので下降により前記支持体の当接部に当接する作動体とを設けたことを特徴とする動物追い払い装置。
【請求項４】
前記支持体内に前記本体下部に設けられた中空筒部が回動可能に支持されると共に、前記作動体は前記中空筒部内に上下動可能に設けられることを特徴とする請求項２又は請求項３に記載の動物追い払い装置。
【発明の詳細な説明】
【技術分野】
【０００１】
この発明は、農作物に被害を与える猪、モグラ等の動物を追い払うのに適した動物追い払い装置に関するものである。
【背景技術】
【０００２】
従来、この種の動物追い払い装置は、本体に回転自在に支持されたプロペラシャフトと、本体前方にてプロペラシャフトに連結され風力を受けて回転するプロペラと、本体後方に取り付けられた風向板と、地上に設置され本体を回動自在に保持する支持体とを備え、プロペラの回転により音や振動を発生させたり（特許文献１参照）、プロペラシャフトに取り付けた鉄球入りの缶を回転させ、缶内の玉打板で鉄玉を上下動させ、音を発生させるものが知られている（特許文献２参照）。
【特許文献１】特開平８−９８６４号公報
【特許文献２】実開昭６３−７１６７８号公報
【発明の開示】
【発明が解決しようとする課題】
【０００３】
しかしながら、従来の動物追い払い装置では、プロペラまたはプロペラシャフトで直接的に音や振動を発生させるものであるため、マイクロ的に光を発生させたり、プロペラやプロペラシャフトから離れた部分で音や振動を発生させることができないものであった。このため、光に敏感な猪等の動物を追い払ったり、地中のモグラが近づかないようにするには不向きであった。
【０００４】
そこで本発明は、上記したような問題を解消するためになされたもので、風力を受けて回転するプロペラに連結されたプロペラシャフトを利用して光源を点灯させたり、振動を発生させ、地中のモグラ等の動物を追い払うことを目的とする。
【課題を解決するための手段】
【０００５】
このために第１の動物追い払い装置に係る発明は、本体に回転自在に支持されて中間に作動部を有するプロペラシャフトと、本体前部にて前記プロペラシャフトに連結されて風力を受けて回転するプロペラと、本体後部に取り付けられた風向板と、地中にその下部が埋設されて前記本体を回動自在に支持する支持体と、風力を受けてプロペラが回転することにより前記プロペラシャフトが回転することによりその作動部によって開閉するスイッチと、このスイッチの開閉により消灯又は点灯する光源とを設けたことを特徴とする。
【０００６】
第２の動物追い払い装置に係る発明は、本体に回転自在に支持されて中間に作動部を有するプロペラシャフトと、本体前部にて前記プロペラシャフトに連結されて風力を受けて回転するプロペラと、本体後部に取り付けられた風向板と、地中にその下部が埋設されて前記本体を回動自在に支持する支持体と、風力を受けてプロペラが回転することにより前記プロペラシャフトが回転することによりその作動部により上昇又は下降するもので下降により前記支持体の当接部に当接する作動体とを設けたことを特徴とする。
【０００７】
第３の動物追い払い装置に係る発明は、本体に回転自在に支持されて中間に第１作動部及び第２作動部を有するプロペラシャフトと、本体前部にて前記プロペラシャフトに連結されて風力を受けて回転するプロペラと、本体後部に取り付けられた風向板と、地中にその下部が埋設されて前記本体を回動自在に支持する支持体と、風力を受けてプロペラが回転することにより前記プロペラシャフトが回転することにより前記第１作動部によって開閉するスイッチと、このスイッチの開閉により消灯又は点灯する光源と、同じくプロペラシャフトが回転することにより前記第２作動部により昇降するもので下降により前記支持体の当接部に当接する作動体とを設けたことを特徴とする。
【０００８】
第４の動物追い払い装置に係る発明は、第２又は第３の発明において、前記支持体内に前記本体下部に設けられた中空筒部が回動可能に支持されると共に、前記作動体は前記中空筒部内に上下動可能に設けられることを特徴とする。
【発明の効果】
【０００９】
特に第１及び第３の発明によれば、風力を受けて回転するプロペラに連結されたプロペラシャフトに作動部が設けられて、この作動部によりスイッチが開閉することにより光源が消灯又は点灯するようにしたので、光に敏感な猪等の動物を追い払うことができる。
【００１０】
また、特に第２及び第３の発明によれば、風力を受けて回転するプロペラに連結されたプロペラシャフトに作動部が設けられて、この作動部により作動体を昇降させてその下部を前記支持体の当接部に当接させて音を発生させたり、また当接により発生する振動を地中に伝達させることにより、モグラ等を追い払うことができる。
【発明を実施するための最良の形態】
【００１１】
以下、この発明の実施形態を図に基づき説明する。図１において、１は上面開口部を蓋体１Ｄで覆われる箱状部１Ａと、この箱状部１Ａの後部に固定される棒体部１Ｂと、前記箱状部１Ａの底面中間部に垂下固定される中空円筒部１Ｃとからなる動物追い払い装置の本体である。
【００１２】
前記箱状部１Ａ内には、中間に２つの作動部としてのクランク部２Ａ、２Ｂを有するプロペラシャフト２が軸支部３、４にて回転自在に支持されている。また、クランク部２Ａの近傍には前記軸支部３、４に支持されたプロペラシャフト２が回動することによってクランク部２Ａにより開成又は閉成を繰り返すマイクロスイッチ５が設けられ、更には電池６が収納されている。
【００１３】
前記本体１の前方では、風力を受けて回転するプロペラ７がプロペラシャフト２に抜け止めナット８により連結されており、前記棒体部１Bには風向板９が取り付けられている。
【００１４】
そして、前記本体１は地内に下端が埋設される支持体１１により回動自在に支持されている。即ち、支持体１１は前記中空円筒部１Ｃが上方から回動可能に挿入されて状態で前記本体１の箱状部１Ａがその上部に載置される中空円筒状の上大パイプ１３と、地中にその下端部が埋設される下大パイプ１４と、前記上大パイプ１３と下大パイプとの中間部に位置して前記中空円筒部１Ｃよりも低い位置にて両者を連結する断面がコ字形状の板体１５とからなる。
【００１５】
１６は前記中空円筒部１Ｃ内を上下動可能な作動体としての作動杆体で、その下端は通常は前記コ字形状の板体１５の上板１５Ａに開設された開口を貫通して当接部としての下板１５Ｂに載置した状態であり、その上端は前記クランク２Ｂの近傍に位置したコ字形状の折曲部１６Ａが形成され、前記プロペラシャフト２が回動することによってクランク部２Ｂに折曲部１６Ａが係合して上昇したり下降したりすることにより、作動杆体１６の下端が前記板体１５の下板１５Ｂに当接することとなる。
【００１６】
また、本体１の下面に設けられた上面開口せる取付筒体１８Ａに発光ダイオードからなる光源１７が設けられ、この光源１７は前記取付筒体１８Ａ内に配設収納された配線（図示せず）を介して上述したマイクロスイッチ５や電池６と接続され、信号源としての光発生手段を構成している。従って、本体１と共に取付筒体１８Ａが回動するので、前記配線が絡まることが防止できる。また、点滅する光源１７も前記本体１と共に回動するので、３６０度方向に光を照射することができるので、どの方向に対しても照射できて動物を追い払うのに好適である。なお、前記支持体１１の上大パイプ１３側面部に固定された取付台座１８Ｂ上に前記光源１７を設けてもよい。また、作動杆体１６と板体１５とにより信号源としての音発生手段を構成している。
【００１７】
このように構成された動物追い払い装置を、その下大パイプ１４を地中に埋設し、畑などに設置する。従って、風が風向板９に当たると、本体１は支持体１１を軸にして平面視時計方向又は反時計方向に回動すると共にプロペラ７が風力により一定方向に回転し、プロペラシャフト２も回転する。
【００１８】
このプロペラシャフト２が回転すると、その中間に設けられたクランク部２Ａが周期的にマイクロスイッチ５のスイッチレバー５Ａに接触して、これを押圧したり又は押圧を解除したりしてオン−オフを繰り返すため、光源１７が点灯又は消灯し、本体１が回動することにより３６０度いずれの方向にも光を照射することとなり、光に敏感な猪等の動物を追い払うことができる。
【００１９】
なお、図２はクランク部２Ａがマイクロスイッチ５のスイッチレバー５Ａに接触して押圧し、マイクロスイッチ５を閉成して、光源１７を点灯させる状態を示しており、図３はクランク部２Ａがマイクロスイッチ５のスイッチレバー５Ａへの押圧を解除し、マイクロスイッチ５を開成して、光源１７を消灯させる状態を示している。
【００２０】
また、プロペラシャフト２のクランク部２Ｂが作動杆体１６の折曲部１６Ａに係合して、作動杆体１６を押し上げたり又は押し下げたりするので、作動杆体１６は上下動（上昇又は下降）を繰り返す。従って、その下端が板体１５の下板１５Ｂに周期的に当接して、音を発するため、鳥、モグラ等の動物を追い払うことができる。しかも、板体１５は支持体１１の中間部に組み込まれているため、作動杆体１６の板体１５の下板１５Ｂとの接触によって発生した振動が支持体１１の下大パイプ１４を介して地中に伝わり、モグラが近づかないように追い払うことできる。
【００２１】
なお、図２はクランク部２Ｂが作動杆体１６の折曲部１６Ａに係合しておらず、この作動杆体１６が下降している状態を示しており、図３はクランク部２Ｂが作動杆体１６の折曲部１６Ａに係合して、この作動杆体１６を上昇させている状態を示している。
【００２２】
このように、風力を受けて回転するプロペラ７に連結されたプロペラシャフト２にクランク部２Ａ、２Ｂが設けられ、このクランク部２Ａ、２Ｂと接触して光源を点滅させて、光に敏感な猪等の動物を追い払うことができ、また音を発生させ、鳥、モグラ等の動物を追い払うことができると共に音発生手段の作動杆体１６を支持体１１内部に上下動自在に組み込み、上下動する作動杆体１６が板体１５の下板１５Ｂに当接して地面近くで振動を発生させ、これを地中に伝達させてモグラが近づかないようにできるなど、種々の動物を効率よく、追い払うことができて、動物の食害から農作物等を守ることができるものである。
【００２３】
なお、マイクロスイッチ５を開閉して光源１７を点滅させるものであるから電源として電池６を用いると、この電池６の寿命も長くなる。
【００２４】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２５】
【図１】動物追い払い装置の概略構成説明図である。
【図２】動物追い払い装置の動作原理を説明するために蓋体を外した状態の局部拡大した説明図である。
【図３】動物追い払い装置の動作原理を説明するために蓋体を外した状態の局部拡大した説明図である。
【符号の説明】
【００２６】
１                本体
１Ｃ              中空円筒部
２                プロペラシャフト
２Ａ、２Ｂ        クランク部
５                マイクロスイッチ
６                電池
７                プロペラ
９                風向板
１１              支持体
１３              上大パイプ
１４              下大パイプ
１５              板体
１５Ｂ            下板
１６              作動杆体
１７              光源
１８Ａ            取付筒体
【図１】
2007006842.tif 000003
【図２】
2007006842.tif 000004
【図３】
2007006842.tif 000005